(57)【特許請求の範囲】
【請求項１】
カメラ本体、
撮影光軸前方に繰り出した繰出状態と撮影光軸後方に沈胴した沈胴状態との間で移動自在な、撮影レンズを支持する移動筒組立体、および
撮影光軸を中心としてカメラ本体に対し一方向に回転する回転リングと、該回転リングが回転することにより前記移動筒組立体を繰出状態と沈胴状態との間で往復動させる第１のカム機構の一部とが設けられた駆動筒組立体、および
前記回転リングの外部から該回転リングの回転位置を検知することにより、前記移動筒組立体の、繰出状態と、沈胴状態と、これら繰出状態と沈胴状態との中間的な状態とのうちの現在の状態を認識するとともに、該移動筒組立体が繰出状態にあるときの複数の繰出位置のうちの現在の位置を認識する回転位置検知手段を備え、
前記第１のカム機構が、前記駆動筒組立体と前記移動筒組立体のうちの一方に設けられた、撮影光軸を一周し一周の間に光軸方向に一回以上前進して後退する形状を有するとともに、前記移動筒組立体を繰出状態に規制する部分に、該移動筒組立体を相互に繰出量の異なる複数の繰出位置のいずれにも停止自在とするための複数の段を有する無端状の第１のカム溝と、前記駆動筒組立体と前記移動筒組立体のうちの他方に設けられた、前記第１のカム溝に摺動自在に係合する第１のカムピンとを備え、
前記回転位置検知手段が、該回転リング外周面に全周にわたって形成された、前記移動筒組立体の、繰出状態と、沈胴状態と、これら繰出状態と沈胴状態との中間的な状態とに応じて高さが異なると共に、繰出状態における複数の繰出位置それぞれに応じて相互に高さが異なるカム面と、カメラ本体側に固定された、前記カム面の高さの相違を検知することにより前記移動筒組立体の現在の状態、および該移動筒組立体が繰出状態にあるときの複数の繰出位置のうちの現在の位置を認識するセンサとを備えたものであることを特徴とするカメラ。
【請求項２】
前記駆動筒組立体が前記第１のカム溝を備え、前記移動筒組立体が前記第１のカムピンを備えたものであることを特徴とする請求項１記載のカメラ。
【請求項３】
前記移動筒組立体が、前記第１のカム機構を介在させて前記駆動筒組立体に連結された後部筒組立体と、所定の第２のカム機構を介在させて前記後部筒組立体と連結され、該第２のカム機構により、該後部筒組立体が光軸方向前方に繰り出されるときに該後部筒組立体に対しさらに繰り出され、該後部筒組立体が光軸方向後方に沈胴するときに該後部筒組立体に対し沈胴する、撮影レンズを支持する前部筒組立体とを備えたものであって
前記第１のカム機構が、前記駆動筒組立体と前記後部筒組立体のうちの一方に設けられた、撮影光軸を一周し一周の間に光軸方向に一回以上前進して後退する形状を有するとともに、前記後部筒組立体を繰出状態に規制する部分に、該後部筒組立体を相互に繰出量の異なる複数の繰出位置のいずれにも停止自在とするための複数の段を有する無端状の第１のカム溝と、前記駆動筒組立体と前記後部筒組立体のうちの他方に設けられた、前記第１のカム溝に摺動自在に係合する第１のカムピンとを備え、
前記第２のカム機構が、前記後部筒組立体と前記前部筒組立体のうちの一方に設けられた、撮影光軸を一周し一周の間に光軸方向に一回以上前進して後退する形状を有するとともに、前記第１のカムピンが前記複数の段のうちのいずれの段に係合していても前記前部筒組立体が前記後部筒組立体に対し相対的に光軸方向に同一の位置を保つように、前記第１のカム溝の前記複数の段全域に対応する部分に、光軸方向に対し垂直な方向に溝が延びる平坦部を有する無端状の第２のカム溝と、前記後部筒組立体と前記前部筒組立体のうちの他方に設けられた、前記第２のカム溝に摺動自在に係合する第２のカムピンとを備えたことを特徴とする請求項１記載のカメラ。
【請求項４】
前記移動筒組立体が、前記第１のカム機構を介在させて前記駆動筒組立体に連結された後部筒組立体と、所定の第２のカム機構を介在させて前記後部筒組立体と連結され、該第２のカム機構により、該後部筒組立体が光軸方向前方に繰り出されるときに該後部筒組立体に対しさらに繰り出され、該後部筒組立体が光軸方向後方に沈胴するときに該後部筒組立体に対し沈胴する、撮影レンズを支持する前部筒組立体とを備えたものであって、
前記第２のカム機構が、前記後部筒組立体と前記前部筒組立体のうちの一方に設けられた、撮影光軸を一周し一周の間に光軸方向に一回以上前進して後退する形状を有するとともに、前記前部筒組立体を繰出状態に規制する部分に、該前部筒組立体を相互に繰出量の異なる複数の繰出位置のいずれにも停止自在とするための複数の段を有する無端状の第２のカム溝と、前記後部筒組立体と前記前部筒組立体のうちの他方に設けられた、前記第２のカム溝に摺動自在に係合する第２のカムピンとを備え、
前記第１のカム機構が、前記駆動筒組立体と前記後部筒組立体のうちの一方に設けられた、撮影光軸を一周し一周の間に光軸方向に一回以上前進して後退する形状を有するとともに、前記第２のカムピンが前記複数の段のうちのいずれの段に係合していても前記後部筒組立体が光軸方向に同一の位置を保つように、前記第２のカム溝の前記複数の段全域に対応する部分に、光軸方向に対し垂直な方向に溝が延びる平坦部を有する無端状の第１のカム溝と、前記駆動筒組立体と前記後部筒組立体のうちの他方に設けられた、前記第１のカム溝に摺動自在に係合する第１のカムピンとを備えたことを特徴とする請求項１記載のカメラ。
【請求項５】
前記移動筒組立体が、前記第１のカム機構を介在させて前記駆動筒組立体に連結された後部筒組立体と、所定の第２のカム機構を介在させて前記後部筒組立体と連結され、該第２のカム機構により、該後部筒組立体が光軸方向前方に繰り出されるときに該後部筒組立体に対しさらに繰り出され、該後部筒組立体が光軸方向後方に沈胴するときに該後部筒組立体に対し沈胴する、撮影レンズを支持する前部筒組立体とを備えたものであって、
前記第１のカム機構が、前記駆動筒組立体と前記後部筒組立体のうちの一方に設けられた、撮影光軸を一周し一周の間に光軸方向に一回以上前進して後退するとともに、前記後部筒組立体を繰出状態に規制する部分に、該後部筒組立体を相互に繰出量の異なる複数の繰出位置のいずれにも停止自在とするための複数の段を有する無端状の第１のカム溝と、前記駆動筒組立体と前記後部筒組立体のうちの他方に設備された、前記第１のカム溝に摺動自在に係合する第１のカムピンとを備え、
前記第２のカム機構が、前記後部筒組立体と前記前部筒組立体のうちの一方に設備された、撮影光軸を一周し一周の間に光軸方向に一回以上前進して後退するとともに、前記前部筒組立体を繰出状態に規制する部分に、該前部筒組立体を、前記後部筒組立体に対する相対的な繰出量が相互に異なる複数の繰出位置のいずれにも停止自在とするための、複数の段を有する無端状の第２のカム溝と、前記後部筒組立体と前記前部筒組立体のうちの他方に設備された、前記第２のカム溝に摺動自在に係合する第２のカムピンとを備えたことを特徴とする請求項１記載のカメラ。
【請求項６】
前記駆動筒組立体が前記第１のカム溝を備え、
前記後部筒組立体が前記第１のカムピンおよび前記第２のカム溝を備え、
前記前部筒組立体が前記第２のカムピンを備えたものであることを特徴とする請求項３から５のうちいずれか１項記載のカメラ。
【発明の詳細な説明】
【０００１】
【発明の属する技術分野】
本発明は、レンズ鏡胴の繰出し、沈胴を行うカメラに関する。
【０００２】
【従来の技術】
従来より、電動モータを内蔵し、その電動モータを回転させて撮影時にはレンズ鏡胴を繰り出し、非撮影時にはレンズ鏡胴を沈胴するカメラが知られている。
【０００３】
【発明が解決しようとする課題】
上記のカメラは、電動モータの正転、逆転に応じてそれぞれレンズ鏡胴の繰出し、沈胴を行なっている。従って、そのカメラが、レンズ鏡胴の繰出し、沈胴を行なう機構以外に、電動モータの駆動力で駆動する別の機構（例えば、フィルム給送機構や焦点調節機構等）を備えていると、その機構を駆動するためには、レンズ鏡胴の繰出し、沈胴を行なう電動モータとは別の電動モータが必要となり、カメラが大型、コスト高になるという問題がある。
【０００４】
また、電動モータの正転である１つの機構を駆動し、逆転で別の機構を駆動することも考えられ、この考え方をレンズ鏡胴の駆動にも適用して、電動モータの正転でレンズ鏡胴を駆動し逆転で別の機構を駆動することが考えられる。しかしレンズ鏡胴の駆動には繰出しと沈胴とがあり、繰出しと沈胴とではレンズ鏡胴の動きが全く逆であるため、電動モータの正転のみで如何にして繰出しと沈胴との双方の動きを行なわせるかが問題となる。
【０００５】
また、レンズ鏡胴の繰出し、沈胴とピント調節は撮影レンズを光軸方向に移動させる点において共通な要素はあるものの、従来はレンズ鏡胴の繰出し、沈胴とピント調節とでは、それぞれ別々の機構を構成し、それぞれ別々に駆動することにより行なわれるのが普通であった。ここで、電動モータの正転のみで撮影レンズを光軸方向に移動させる全ての動作、すなわち、繰出しと沈胴との双方の動きと、さらにピント調節をも行なうことができれば、電動モータの逆転を撮影レンズの移動とは無関係の他の機構、例えばフイルム給送機構等の駆動に割り当てることができ極めて好ましいが、レンズ鏡胴の繰出しと沈胴に加え、さらにピント調節をも含めて電動モータの正転のみで行なおうとしたとき、如何にしてそれら全ての動作を行なわせることができるかが問題となる。
【０００６】
本発明は、上記事情に鑑み、一方のみの回転でレンズ鏡胴の繰出しと沈胴、さらにピント調節を実現するカメラを提供することを目的とする。
【０００７】
【課題を解決するための手段】
上記目的を達成する本発明のカメラは、
カメラ本体、
撮影光軸前方に繰り出した繰出状態と撮影光軸後方に沈胴した沈胴状態との間で移動自在な、撮影レンズを支持する移動筒組立体、および
撮影光軸を中心としてカメラ本体に対し一方向に回転する回転リングと、その回転リングが回転することにより上記移動筒組立体を繰出状態と沈胴状態との間で往復動させる第１のカム機構の一部とが設けられた駆動筒組立体を備え、
上記第１のカム機構が、上記駆動筒組立体と上記移動筒組立体のうちの一方に設けられた、撮影光軸を一周し一周の間に光軸方向に一回以上前進して後退する形状を有するとともに、上記移動筒組立体を繰出状態に規制する部分に、その移動筒組立体を相互に繰出量の異なる複数の繰出位置のいずれにも停止自在とするための複数の段を有する無端状の第１のカム溝と、上記駆動筒組立体と上記移動筒組立体のうちの他方に設けられた、上記第１のカム溝に摺動自在に係合する第１のカムピンとを備えたことを特徴とする。
【０００８】
この場合、上記駆動筒組立体が上記第１のカム溝を備え、上記移動筒組立体が上記第１のカムピンを備えたものであることが好ましい。
【０００９】
本発明のカメラは、駆動筒組立体および移動筒組立体のうちのいずれか一方の組立体に、光軸方向に一回以上前進して後退する無端状のカム溝を備えるとともに、もう一方の組立体に、そのカム溝に係合するカムピンを備えたものであり、回転リングを一方向に回転させることによって、移動筒組立体を、繰出状態と沈胴状態との間で往復動させることができる。さらに、本発明のカメラでは、第１のカム溝を、移動筒組立体を複数の繰出位置のいずれにも停止自在とするための複数の段を有するカム溝としているため、その移動筒組立体を支持する撮影レンズを互いに異なる複数の位置に停止することができる。したがって、本発明のカメラでは、回転リングを一方向にのみ回転させて、移動筒組立体を、繰出状態と沈胴状態との間で往復動させるだけではなく、さらに、焦点調節も行うことができる。したがって、本発明のカメラに回転リングを回転させる電動モータを内蔵すると、移動筒組立体の繰出しおよび沈胴の双方、さらにピント切換えまでもがその電動モータの正転のみで行なわれ、その電動モータの逆転を別の機構（例えばフイルム給送機構等）の駆動に用いることができる。この場合、駆動筒組立体にカムピンを備え移動筒組立体にカム溝を備えてもよいが、それとは逆に、駆動筒組立体にカム溝を備え、移動筒組立体にカムピンを備えると、その移動筒組立体を繰出し、沈胴する機構を比較的簡単に実現することができる。
【００１０】
また、本発明のカメラは、上記移動筒組立体が、上記第１のカム機構を介在させて上記駆動筒組立体に連結された後部筒組立体と、所定の第２のカム機構を介在させて後部筒組立体と連結され、その第２のカム機構により、後部筒組立体が光軸方向前方に繰り出されるときにその後部筒組立体に対しさらに繰り出され、後部筒組立体が光軸方向後方に沈胴するときにその後部筒組立体に対し沈胴する、撮影レンズを支持する前部筒組立体とに分かれたものであって、
上記第１のカム機構が、駆動筒組立体と後部筒組立体のうちの一方に設けられた、撮影光軸を一周し一周の間に光軸方向に一回以上前進して後退する形状を有するとともに、後部筒組立体を繰出状態に規制する部分に、その後部筒組立体を相互に繰出量の異なる複数の繰出位置のいずれにも停止自在とするための複数の段を有する無端状の第１のカム溝と、駆動筒組立体と後部筒組立体のうちの他方に設けられた、上記第１のカム溝に摺動自在に係合する第１のカムピンとを備え、
上記第２のカム機構が、後部筒組立体と前部筒組立体のうちの一方に設けられた、撮影光軸を一周し一周の間に光軸方向に一回以上前進して後退する形状を有するとともに、上記第１のカムピンが上記複数の段のうちのいずれの段に係合していても前部筒組立体が後部筒組立体に対し相対的に光軸方向に同一の位置を保つように、上記第１のカム溝の上記複数の段全域に対応する部分に、光軸方向に対し垂直な方向に溝が延びる平坦部を有する無端状の第２のカム溝と、後部筒組立体と前部筒組立体のうちの他方に設けられた、上記第２のカム溝に摺動自在に係合する第２のカムピンとを備えたものであってもよい。
【００１１】
あるいは、本発明のカメラは、上記移動筒組立体が、上記第１のカム機構を介在させて上記駆動筒組立体に連結された後部筒組立体と、所定の第２のカム機構を介在させて後部筒組立体と連結され、その第２のカム機構により、後部筒組立体が光軸方向前方に繰り出されるときにその後部筒組立体に対しさらに繰り出され、後部筒組立体が光軸方向後方に沈胴するときにその後部筒組立体に対し沈胴する、撮影レンズを支持する前部筒組立体とに分かれたものであって、
上記第２のカム機構が、後部筒組立体と前部筒組立体のうちの一方に設けられた、撮影光軸を一周し一周の間に光軸方向に一回以上前進して後退する形状を有するとともに、前部筒組立体を繰出状態に規制する部分に、その前部筒組立体を相互に繰出量の異なる複数の繰出位置のいずれにも停止自在とするための複数の段を有する無端状の第２のカム溝と、後部筒組立体と前部筒組立体のうちの他方に設けられた、上記第２のカム溝に摺動自在に係合する第２のカムピンとを備え、
上記第１のカム機構が、駆動筒組立体と後部筒組立体のうちの一方に設けられた、撮影光軸を一周し一周の間に光軸方向に一回以上前進して後退する形状を有するとともに、上記第２のカムピンが上記複数の段のうちのいずれの段に係合していても後部筒組立体が光軸方向に同一の位置を保つように、第２のカム溝の複数の段全域に対応する部分に、光軸方向に対し垂直な方向に溝が延びる平坦部を有する無端状の第１のカム溝と、駆動筒組立体と後部筒組立体のうちの他方に設けられた、上記第１のカム溝に摺動自在に係合する第１のカムピンとを備えたものであってもよい。
【００１２】
さらに、本発明のカメラは、上記移動筒組立体が、上記第１のカム機構を介在させて上記駆動筒組立体に連結された後部筒組立体と、所定の第２のカム機構を介在させて後部筒組立体と連結され、その第２のカム機構により、後部筒組立体が光軸方向前方に繰り出されるときにその後部筒組立体に対しさらに繰り出され、後部筒組立体が光軸方向後方に沈胴するときにその後部筒組立体に対し沈胴する、撮影レンズを支持する前部筒組立体とに分かれたものであって、
上記第１のカム機構が、駆動筒組立体と後部筒組立体のうちの一方に設けられた、撮影光軸を一周し一周の間に光軸方向に一回以上前進して後退する形状を有するとともに、後部筒組立体を繰出状態に規制する部分に、その後部筒組立体を相互に繰出量の異なる複数の繰出位置のいずれにも停止自在とするための複数の段を有する無端状の第１のカム溝と、駆動筒組立体と後部筒組立体のうちの他方に設けられた、上記第１のカム溝に摺動自在に係合する第１のカムピンとを備え、
上記第２のカム機構が、後部筒組立体と前部筒組立体のうちの一方に設けられた、撮影光軸を一周し一周の間に光軸方向に一回以上前進して後退する形状を有するに、前部筒組立体を繰出状態に規制する部分に、その前部筒組立体を、後部筒組立体に対する相対的な繰出量が相互に異なる複数の繰出位置のいずれにも停止自在とするための、複数の段を有する無端状の第２のカム溝と、後部筒組立体と前部筒組立体のうちの他方に設けられた、上記第２のカム溝に摺動自在に係合する第２のカムピンとを備えたものであってもよい。  ここで、上記の、移動筒組立体が前部筒組立体と後部筒組立体とに分かれたいずれの形態においても、駆動筒組立体が上記第１のカム溝を備え、後部筒組立体が上記第１のカムピンおよび上記第２のカム溝を備え、前部筒組立体が上記第２のカムピンを備えたものであることが好ましい。
【００１３】
移動筒組立体を、第２のカム機構を介在させて互いに連結された後部筒組立体と前部筒組立体とに分け、その移動筒組立体を構成する後部筒組立体を第１のカム機構を介在させて駆動筒組立体に連結すると、回転リングを一方向に回転させることにより、後部筒組立体と前部筒組立体との双方の組立体が繰出し、沈胴を行う２段沈胴式のカメラが構成される。具体的には、例えば、駆動筒組立体および後部筒組立体のうちのいずれか一方の組立体に、光軸方向に一回以上前進して後退する第１のカム溝を備えるとともに、もう一方の組立体に、そのカム溝に係合する第１のカムピンを備え、さらに、後部筒組立体および前部筒組立体のうちのいずれか一方の組立体に、光軸方向に一回以上前進して後退する第２のカム溝を備えるとともに、もう一方の組立体に、そのカム溝に係合する第２のカムピンを備えると、回転リングを一方向に回転させることにより、後部筒組立体および前部筒組立体との双方の組立体の繰出し、沈胴を実現することができる。さらに、ここでは、第１のカム溝に、後部筒組立体を複数の繰出位置のいずれにも停止自在とするための複数の段をもたせるか、あるいは、第２のカム溝に、前部筒組立体を複数の繰出位置のいずれにも停止自在とするための複数の段をもたせるか、あるいは第１のカム溝と第２のカム溝との双方に複数の段を持たせることにより、撮影レンズを互いに異なる複数の位置に停止させることができ、回転リングを一方向に回転させるだけで、後部筒組立体を前部筒組立体との双方の繰出し、沈胴を実現するにとどまらず、撮影レンズを光軸方向に移動させる専用の機構を設けることなく、ピント切換えも行なうことができる。ここで、第１のカム機構と第２のカム機構との双方のカム機構それぞれに、後部筒組立体もしくは前部筒組立体を複数の繰出位置のいずれにも停止自在とするための複数の段をもたせた場合は、撮影光軸方向に関して、第１のカム機構の複数の段のと、第２のカム機構の複数の段との組合せにより、撮影レンズの光軸方向の位置をさらに細かく調整する、すなわち多段のピント切換えを行なうことができる。さらに、第１，第２のカム溝および第１，第２のカムピンを、上記したそれぞれの組立体に備えることにより、前部筒組立体および後部筒組立体を繰出し、沈胴する機構を容易に構成できる。
【００１４】
ここで、本発明のカメラにおいて、上記回転リングの外部からその回転リングの回転位置を検知することにより、上記移動筒組立体の、繰出状態と、沈胴状態と、これら繰出状態と沈胴状態との中間的な状態とのうちの現在の状態を認識するとともに、その移動筒組立体が繰出状態にあるときの複数の繰出位置のうちの現在の位置を認識する回転位置検知手段を備えることが好ましい。この回転位置検知手段は、例えば、その回転リング外周面に全周にわたって形成された、上記移動筒組立体の、繰出状態と、沈胴状態と、これら繰出状態と沈胴状態との中間的な状態とに応じて高さが異なると共に、繰出状態における複数の繰出位置それぞれに応じて相互に高さ異なるカム面と、カメラ本体側に固定された、上記カム面の高さの相違を検知することにより上記移動筒組立体の現在の状態およびその移動筒組立体が繰出状態にあるときの複数の繰出位置のうちの現在の位置を認識するセンサとを備えた構成のものを採用することができる。
【００１５】
繰出し、沈胴を行うレンズ鏡胴の繰出位置、沈胴位置の検出は、光軸方向に直進する直進部材の、光軸方向の動きを検出することで容易に行なえるが、直進部材の光軸方向の動きでレンズ鏡胴の繰出位置、沈胴位置を検出する場合、位置検出センサをレンズ鏡胴の内側に配置しなければならい。従って、位置検出センサが光路上じゃまにならないようにするためには、例えば、レンズ鏡胴を大型に構成する必要があり、カメラが大型化するという問題がある。そこで、ここでは、上記の回転位置検知手段を備え、その回転位置検知手段で回転リングの外部からその回転リングの回転位置を検知することにより、移動筒組立体の状態を認識している。従って、センサが光路上じゃまになることもなく、カメラの小型化が図られる。また、この回転位置検出手段は、複数の繰出位置を認識するものであるため、移動筒組立体を所望のピント位置に繰り出すことができる。この場合、回転リング外周面全周にわたって、複数の繰出位置それぞれに応じて高さが異なるカム面を備えると、その高さを検知することにより、移動筒組立体を所望のピント位置に繰り出すことができる。
【００１６】
【発明の実施の形態】
以下、本発明の実施形態について説明する。
【００１７】
図１は、本発明の第１実施形態のカメラを示す正面図である。
【００１８】
図１に示すように、このカメラ５０は、シャッタボタン５３等を有するカメラ本体５１を備えており、そのカメラ本体５１前面にはレンズ鏡胴５２が取り付けられている。このカメラ本体５１には、正転、逆転自在に回転する電動モータ５４が内蔵されている。また、カメラ本体５１には、ＡＦ窓５５が設けられており、そのＡＦ窓５５の内側には、被写体までの距離を測定するＡＦセンサ（図示せず）が配置されている。このカメラ５０は、シャッタボタン５３が半押しされるとＡＦセンサで測距が行なわれ、全押しされると撮影が行なわれる。
【００１９】
図２は、そのカメラのレンズ鏡胴を構成する後部筒および前部筒が沈胴状態にあるときの、そのレンズ鏡胴の光軸方向の縦断面図、図３は、そのカメラのレンズ鏡胴を構成する後部筒および前部筒が繰出状態にあるときの、そのレンズ鏡胴の光軸方向の縦断面図である。
【００２０】
レンズ鏡胴５２は、主な構成要素として、図２に示すように、レンズシャッター組６が内蔵された前部筒５、沈胴状態においてその前部筒５を収納する後部筒３、さらに沈胴駆動リング２、固定カム筒１等を備えている。固定カム筒１はカメラ本体５１（図１参照）に取り付け固定されており、この固定カム筒１の内壁面にはカム溝１ａと、光軸方向に延びる３つのキー溝１ｂが形成されている（図２、図３には、３つのキー溝１ｂのうちの１つのキー溝１ｂのみが示されている）。カム溝１ａの詳しい形状については後述する。また、このレンズ鏡胴５２は鏡胴カバー１０で覆われた沈胴駆動リング２を備えている。この沈胴駆動リング２は、固定カム筒１の外壁を取り巻く位置に、光軸方向には移動せず、かつ光軸を中心として回転自在に取り付けられている。この沈胴駆動リング２の外壁後端部には、カメラ本体５１内部に配置された電動モータ５４（図１参照）の駆動力が伝達される駆動ギア２ａが形成されている。その電動モータ５４の駆動力が沈胴駆動リング２の駆動ギア２ａに伝達されると、その沈胴駆動リング２は光軸を中心として回転する。また、この沈胴駆動リング２の内壁面には、光軸方向に延びる３つの駆動溝２ｂが形成されており（図２、図３には、３つの駆動溝２ｂのうちの１つの駆動溝２ｂのみが示されている）、これら３つの駆動溝２ｂは、光軸を中心として１２０度間隔で設けられている。後部筒３の後部外壁には、沈胴駆動リング２の駆動溝２ｂに摺動自在に係合する３本の連結ピン３ａと、固定カム筒１のカム溝１ａに摺動自在に係合する３本のカムピン３ｂとが設けられている（図２、図３には、３本のカムピン３ｂのうちの１本のカムピン３ｂのみが示され、３本の連結ピン３ａのうちの１本の連結ピン３ａのみが示されている）。３本の連結ピン３ａは、光軸を中心として１２０度間隔で設けられており、３本のカムピン３ｂも、光軸を中心として１２０度間隔で設けられている。また、後部筒３の内壁面にはカム溝３ｃが形成されている。このカム溝３ｃの詳しい形状については後述する。さらに、後部筒３内には、直進キーリング４が、その後部筒３に対し光軸方向の移動が禁止された状態で配置されている。その直進キーリング４の後端外壁には３つのキーピン４ａが設けられており（図２、図３には、３つのキーピン４ａのうちの１つのキーピン４ａのみが示されている）、これら３つのキーピン４ａは、それぞれ固定カム筒１の３つのキー溝１ｂそれぞれに摺動自在に係合している。尚、固定カム筒１のカム溝１ａとキー溝１ｂ、沈胴駆動リング２の駆動溝２ｂ、後部筒３の連結ピン３ａとカムピン３ｂ、および直進キーリング４のキーピン４ａは、後部筒３および直進キーリング４を繰出し、沈胴するためのカム機構を構成している。後部筒３および直進キーリング４が繰出し、沈胴する様子については後述する。
【００２１】
前部筒５内には、レンズカバーを開閉するためのレンズカバー開閉部材８が固定されており、そのレンズカバー開閉部材８の後端部には、直進キーリング４の直進ガイド溝４ｂに入り込むガイドピン８ａが設けられている。また、この前部筒５の後端外周部には、直進キーリング４を貫通して後部筒３のカム溝３ｃに摺動自在に係合する３本のカムピン５ａが設けられている（図２、図３には、３本のカムピン５ａのうちの１本のカムピン５ａのみが示されている）。これら３本のカムピン５ａは、光軸を中心とした円周方向に１２０度間隔で設けられている。前部筒５のカムピン５ａ、レンズカバー開閉部材８のガイドピン８ａ、後部筒３のカム溝３ｃ、および直進キーリング４の直進ガイド溝４ｂは、前部筒５を光軸方向に直進的に繰出し、沈胴させるカム機構を構成している。また、直進キーリング４と、後部筒３と、前部筒５と、さらに、その前部筒５に対し光軸方向の移動が規制されており、その前部筒５の繰り出し、沈胴に伴ってその前部筒５と一緒に光軸方向に移動するレンズシャッター組６等の各種部材を含めたものが、本発明にいう移動筒組立体に相当する。また、沈胴駆動リング２に、固定カム筒１を含めたものが、本発明にいう駆動筒組立体に相当する。
【００２２】
以下に、沈胴駆動リング２が回転することにより、後部筒３および前部筒５が、光軸方向に繰出し、沈胴するときの様子について、図４、図５を参照しながら説明する。
【００２３】
図４は、固定カム筒および後部筒それぞれの内壁面を光軸方向に垂直な方向に展開して示した図である。ただし横軸は、内壁面の実寸比ではなく、光軸まわりの角度を示している。
【００２４】
後部筒３には、前部筒５の３本のカムピン５ａ（例えば図３参照）が係合するカム溝３ｃが形成されている。このカム溝３ｃは、撮影光軸を一周し一周の間に光軸方向への前進と後退を三回繰り返す無端状のカム溝であり、このカム溝３ｃは、光軸方向前方を経由する部分に２つの段３ｄを有する。
【００２５】
一方、固定カム筒１には、後部筒３の３本のカムピン３ｂ（例えば図３参照）が係合するカム溝１ａが形成されている。このカム溝１ａは、撮影光軸を一周し一周の間に光軸方向に前進と後退とを三回繰り返す無端状のカム溝であり、このカム溝１ａは、後部筒３のカム溝３ｃの２つの段３ｄ全域に対応する部分に、光軸方向に垂直な方向に延びる平坦部１ｃを有する。また、この固定カム筒１の、カム溝１ａが有する平坦部１ｃ後方には、光軸方向に延びるキー溝１ｂが形成されている。
【００２６】
図５は、沈胴駆動リングおよび沈胴スイッチレバーの正面図である。
【００２７】
沈胴駆動リング２の外壁後端部には駆動ギア２ａが形成されており、外壁前側面全周にわたってカム面２ｃが形成されている。このカム面２ｃは、後部筒３と前部筒５との双方の筒の、繰出状態と、沈胴状態と、これら繰出状態と沈胴状態との中間的な状態とに応じて異なる高さに形成されている。つまり、カム面２ｃは、繰出状態に対応した領域Ａ、沈胴状態に対応した領域Ｃ、繰出状態と沈胴状態との中間的な状態に対応した領域Ｂを有する。ここでは、前部筒５の繰出状態には、繰出量が異なる第１の繰出位置および第２の繰出位置があり、カム面２ｃの、繰出状態に対応した領域Ａは、この繰出量が異なる２つの位置に応じてさらに異なる高さに形成され、第１の繰出位置に対応した領域Ａ１と、第２の繰出位置に対応した領域Ａ２とを有する。従って、カム面２ｃは、互いに異なる高さに形成された４つの領域Ａ１，Ａ２，Ｂ，Ｃを有する。これら４つの領域Ａ１，Ａ２，Ｂ，Ｃは、カム面２ｃの、光軸の周回方向に３分割された領域それぞれに形成されている。沈胴スイッチレバー１１はこのカム面２ｃに接触しており、沈胴駆動リング２が回転することにより、カム面２ｃの、沈胴スイッチレバー１１と接触する部分の高さが変化し、沈胴スイッチレバー１１が矢印Ｙ方向に回動する。このとき、その沈胴スイッチレバー１１に接触する接点の状態が変化し、その接点の状態により、沈胴スイッチレバー１１が、カム面２ｃの、異なる高さに形成された領域Ａ１，Ａ２，Ｂ，Ｃのうちのどの領域に接触しているかが検出され、後部筒３および前部筒５の状態およびピント位置が認識される。
【００２８】
尚、この実施形態では、沈胴駆動リング２に、図５に示すように、異なる高さを有するカム面を備えることにより、沈胴駆動リングの回転位置、すなわち後部筒３および前部筒５の状態を認識しているが、このようなカム面を備えた沈胴駆動リング２に代えて、その沈胴駆動リング２とは異なる構造の沈胴駆動リングを備えて後部筒３や前部筒５の状態を認識してもよい。以下に、上記とは異なる別の構造の沈胴駆動リングについて説明する。  図６は、図５に示す沈胴駆動リングとは異なる構造の沈胴駆動リングを示す正面図である。
【００２９】
沈胴駆動リング２の外壁前側面２ｄは同じ高さの面に形成されており、この外壁前側面２ｄは、繰出状態に対応した領域Ａ、沈胴状態に対応した領域Ｃ、および、繰出状態と沈胴状態との中間的な状態に対応した領域Ｂを有し、さらに、繰出状態に対応した領域Ａは、前部筒５の繰出量が異なる第１の繰出位置および第２の繰出位置に対応した領域Ａ１およびＡ２に分けられる。この沈胴駆動リング２は金属製であり、その沈胴駆動リング２の外壁前側面２ｄの領域Ａ１，Ａ２，Ｂ，Ｃのうち、領域Ａ１，Ａ２，Ｃには、互いに異なるパターンの光反射防止マークが印刷されている。また、沈胴駆動リング２の外壁前側面底部には、光軸方向に並ぶ２つの投受光素子２０，２１が配列されている。これら２つの投受光素子２０，２１は、いずれも、外壁前側面２ｄに向けて投光し、反射してきた光を受光するものである。
【００３０】
図７、図８、図９は、それぞれ、その沈胴駆動リング２の外壁前側面の領域Ａ１、Ａ２、Ｃに印刷されたの光反射防止マークを示す図である。図７、図８、図９には、２つの投受光素子２０，２１も示されている。
【００３１】
図７、図８、図９に示すように、領域Ａ１には、光軸方向に関し、２つの投受光素子２０，２１のうちの一方の投受光素子２０に対応した位置にのみ光反射防止マーク２ｇが印刷され、領域Ａ２には、光軸方向に関し、他方の投受光素子２１に対応した位置にのみ光反射防止マーク２ｇが印刷されており、また、領域Ｃには、２つの投受光素子２０，２１双方に対応した位置に光反射防止マーク２ｇが印刷されている。領域Ｂ（図６参照）には光反射防止マークは印刷されていない。このように、外壁前側面の領域Ａ１，Ａ２，Ｂ，Ｃに応じて、光反射防止マークの印刷パターンを変化させると、沈胴駆動リングが回転することにより、２つの投受光素子それぞれの受光量の組合せが変化し、沈胴駆動リングの回転位置、すなわち後部筒３や前部筒５の状態が認識される。
【００３２】
このように、沈胴駆動リングの回転位置を沈胴駆動リング外部から検知するにあたり、光を用いて検知してもよく、その他どのような検知手段を採用してもよい。
【００３３】
ただし、ここでは、図５に示す、異なる高さを有するカム面を備えた沈胴駆動リング２および沈胴スイッチレバーを用いて沈胴駆動リングの回転位置を検知しており、従って、再度図４、図５を参照しながらさらに説明を続ける。
【００３４】
図４において、後部筒３の３本のカムピン３ｂ（例えば図２参照）が、それぞれ、固定カム筒１のカム溝１ａの３つの沈胴位置Ａそれぞれに位置し、前部筒５の３つのカムピン５ａ（例えば図２参照）が、それぞれ後部筒３のカム溝３ｃの３つの沈胴位置Ｄそれぞれに位置するときは、後部筒３および前部筒５は固定カム筒１内に沈胴している（図２参照）。このとき、沈胴スイッチレバー１１は、図５に示すように、沈胴駆動リング２のカム面２ｃの、高さが一番低い部分Ａに接触している。ここで、カメラ本体５１の電源をオンにすると、電動モータ５４が正転し、沈胴駆動リング２が光軸を中心として矢印Ｐ方向（図５参照）に回転する。このとき、後部筒３の連結ピン３ａが沈胴駆動リング２の駆動溝２ｂ（例えば図２参照）に係合していることからその連結ピン３ａを介して後部筒３も光軸を中心として回転する。ここで、その後部筒３の３本のカムピン３ｂが固定カム筒１のカム溝１ａに係合していることから、それら３本のカムピン３ｂは、そのカム溝１ａに案内されて、沈胴位置Ａから、その後部筒３の繰出量を最大の繰出量に規定する第１の繰出位置Ｂに向かって移動し、後部筒３が繰り出される。このとき、直進キーリング４は、キーピン４ａが固定カム筒１のキー溝１ｂに係合していることから、後部筒３が回転しながら繰り出されるのに伴って直進的に繰り出される。また、前部筒５のカムピン５ａが後部筒３のカム溝３ｃに係合しており、その前部筒５内に配置されたレンズカバー開閉部材８のガイドピン８ａ（例えば図２参照）が直進キーリング４の直進ガイド溝４ｂに入り込んでいることから、その前部筒５のカムピン５ａは、後部筒３のカムピン３ｂが沈胴位置Ａから第１の繰出位置Ｂに向かって移動するに伴って、沈胴位置Ｄから第１の繰出位置Ｅに向かって移動し、前部筒５が直進的に繰り出される。後部筒３の３本のカムピン３ｂ、および前部筒５の３本のカムピン５ａが、それぞれ、第１の繰出位置Ｂ、Ｅに向かって移動しているときは、沈胴スイッチレバー１１は、沈胴駆動リング２のカム面２ｃの互いに高さの異なる部分Ａ１，Ａ２，Ｂ，Ｃのうちの部分Ｂと摺動している。
【００３５】
本実施形態では電源をオンにしたときのレンズシャッター組の焦点位置の初期設定として、近距離撮影用の位置が選択されており、沈胴駆動リング２の回転により、沈胴スイッチレバー１１が沈胴駆動リング２のカム面２ｃの、第１の繰出位置に対応した部分Ａ１と接触したときに、電動モータ５４の回転が停止し、沈胴駆動リング２が停止する。このとき、後部筒３のカムピン３ｂ、および前部筒５のカムピン５ａが、それぞれ、第１の繰出位置Ｂ、Ｅで停止し、後部筒３および前部筒５の繰出しが停止する。後部筒３のカムピン３ｂ、および前部筒５のカムピン５ａが、それぞれ、第１の繰出位置Ｂ、Ｅで停止することにより、レンズシャッター組の焦点は近距離撮影用の位置にセットされる。
【００３６】
ここでカメラ本体のシャッタボタンを半押しすると、ＡＦセンサによる測距が行なわれ、その測距の結果、レンズシャッター組の焦点位置として遠距離撮影用の位置が選択された場合、電動モータ５４はもう一度正転し、沈胴スイッチレバー１１が沈胴駆動リング２のカム面２ｃの、第２の繰出位置に対応した部分Ａ２と接触したときに、電動モータ５４の回転が停止し、沈胴駆動リング２が停止する。このとき、後部筒３のカムピン３ｂが、第１の繰出位置Ｂの隣に位置する第２の繰出位置Ｃで停止するとともに、前部筒５のカムピン５ａが、第１の繰出位置Ｅよりも前部筒５の繰出量をわずかに小さい繰出量に規定する第２の繰出位置Ｆで停止する。前部筒５のカムピン５ａが第２の繰出位置Ｆで停止することにより、レンズシャッター組の焦点は遠距離撮影用の位置にセットされる。このように、このカメラ５０は、近距離撮影および遠距離撮影に応じて、前部筒５の繰出量を２段階に変化させることにより、レンズシャッター組の焦点の位置調整を行なっている。カメラの電源をオフに操作すると、電源が実際にオフになる前に、電動モータ５４がもう一度正転して沈胴駆動リング２がさらにＰ方向に回転し、後部筒３のカムピン３ｂは、第１の繰出位置Ｂもしくは第２の繰出位置Ｃから沈胴位置Ａに向かって移動するとともに、前部筒５のカムピン５ａが、第１の繰出位置Ｅもしくは第２の繰出位置Ｆから沈胴位置Ｄに向かって移動する。このとき、沈胴スイッチレバー１１は、沈胴駆動リング２のカム面２ｃの、繰出状態と沈胴状態との中間的な状態に対応した部分Ｂと摺動している。沈胴駆動リング２がさらに回転することにより、沈胴スイッチレバー１１がカム面２ｃの、沈胴状態に対応した部分Ｃに接触すると、電動モータ５４の回転が停止し、沈胴駆動リング２が停止する。このとき、後部筒３のカムピン３ｂ、および前部筒５のカムピン５ａは、それぞれ沈胴位置Ａ、Ｄに到達し、後部筒３および前部筒５の沈胴が完了する。
【００３７】
尚、レンズシャッター組の焦点が遠距離撮影用の位置にセットされている状態でシャッタボタンを半押しし、ＡＦセンサによる測距の結果近距離が得られた場合、電動モータ５４が正転し、後部筒３および前部箇５は、一旦沈胴状態を経由して再度繰り出され、近距離撮影用の繰出し位置にセットされる。
【００３８】
前部筒５の、レンズシャッター組６の前面には、レンズカバー組７が開閉自在に取り付けられており、そのレンズカバー組７のさらに前面には、開口部９ａを有する飾銘板９が取り付けられている。レンズカバー組７は、前部筒５が繰り出されたときに開き、前部筒５が沈胴したときに閉じるように、レンズカバー開閉部材８で制御されている。
【００３９】
上記のように、このカメラ５０は、電動モータ５４を正転させることのみで、後部筒３および前部筒５の繰出し、沈胴を行うとともに、焦点調節も行なっている。また、このカメラ５０は、電動モータ５４の正転、逆転に応じてその電動モータ５４の駆動力の伝達先を切り替える遊星機構（図示せず）を備えている。このカメラ５０では、この遊星機構は、電動モータ５４が正転しているときはその電動モータ５４の駆動力を沈胴駆動リング２に伝達し、電動モータ５４が逆転しているときはその電動モータ５４の駆動力をフイルム給送機構（図示せず）に伝達している。このように、このカメラ５０は、１つの電動モータ５４が、移動筒９の繰出し、沈胴の駆動源に用いられるとともに、フイルム給送機構の駆動源としても用いられている。従来の、電動モータの正転、逆転に応じて撮影レンズの繰出し、沈胴を切り替えるカメラでは、フイルム給送機構を駆動するために別の電動モータが必要であったが、図１に示すカメラ５０は、フイルム給送機構を駆動するための別の電動モータは不要であり、カメラの小型化、低コスト化が図られている。さらに、このカメラ５０は、後部筒３に形成されているカム溝３ｃが、前部筒５を相互に繰出量の異なる第１の繰出位置Ｅおよび第２の繰出位置Ｆのいずれにも停止自在とするための２つの段３ｄを有しており、前部筒５のカムピン５ａが第１の繰出位置Ｅおよび第２の繰出位置Ｆのうちのいずれかの繰出位置で停止するかによって焦点調節が行なわれる。従って、このカメラ５０は、焦点調節を行なうための専用の部材なしに焦点調節を行なうことができる。  尚、ここでは、固定カム筒１にカム溝１ａおよびキー溝１ｂを備えるとともに沈胴駆動リング２に駆動溝２ｂを備え、一方、後部筒３に連結ピン３ａとカムピン３ｂとを備えるとともに直進キーリング４にキーピン４ａを備えることにより、後部筒３および直進キーリング４を繰出し、沈胴させているが、これとは逆に、固定カム筒１および沈胴駆動リング２にピンを備え、一方、後部筒３および直進キーリング４に、そのピンが摺動する溝を備えることにより、後部筒３を繰出し、沈胴させてもよい。また、後部筒３にカム溝３ｃを備えるとともに直進キーリング４に直進ガイド溝４ｂを備え、一方、前部筒５にカムピン５ａを備えるとともにレンズカバー開閉部材８にガイドピン８ａを備えることにより、前部筒５を光軸方向に直進的に繰出し、沈胴しているが、これとは逆に、後部筒３および直進キーリング４にピンを備え、一方、前部筒５およびレンズカバー開閉部材８にそのピンが摺動する溝を備えることにより、前部筒５を光軸方向に直進的に繰出し、沈胴してもよい。
【００４０】
次に、本発明の第２実施形態のカメラについて説明する。尚、この第２実施形態のカメラについては、図１０を参照しながら、上述した第１実施形態のカメラとの相違点のみについて説明する。
【００４１】
図１０は、この第２実施形態のカメラが備えている固定カム筒および後部筒を円周方向に展開したときの一部分を示す図である。この図１０には、固定カム筒および後部筒それぞれの、円周方向に３分割したときの一つの分割部分が示されている。
【００４２】
この第２実施形態のカメラでは、固定カム筒１に形成されたカム溝１ａが２つの段１ｄを有し、後部筒３に形成されたカム溝３ｃが平坦部３ｅを有している。
【００４３】
このように、２つの段を有するカム溝を後部筒３ではなく固定カム筒１に形成しても、焦点調節を行なうことができる。
【００４４】
次に、本発明の第３実施形態のカメラについて説明する。尚、この第３実施形態のカメラについては、図１１を参照しながら、上述した第１実施形態のカメラとの相違点のみについて説明する。
【００４５】
図１１は、この第３実施形態のカメラが備えている固定カム筒および後部筒を円周方向に展開したときの一部分を示す図である。この図１１には、固定カム筒および後部筒それぞれの、円周方向に３分割したときの一つの分割部分が示されている。
【００４６】
この第３実施形態のカメラでは、固定カム筒１のカム溝１ａが、後部筒３を、固定カム筒１に対する相対的な繰出量が相互に異なる第１の繰出位置および第２の繰出位置のいずれにも停止自在とするための２つの段１ｃを有し、さらに、後部筒３も２つの段２ｄを有する。
【００４７】
これらカム溝１ａ，３ｃそれぞれは、いずれも２つの段１ｃ，３ｄを有するものであっても、カム溝１ａ，３ｃの各２つの段１ｃ，３ｄを組合わせることにより、領域Ａ，Ｂ，Ｃの３つの領域で、前部筒５の繰出量を互いに異ならせることができ、より細かな焦点調節を行なうことができる。
【００４８】
次に、本発明の第４実施形態のカメラについて説明する。
【００４９】
図１２は、その第４実施形態のカメラが備えているレンズ鏡胴の、移動筒が沈胴状態にあるときの光軸方向の縦断面図、図１３は、その第４実施形態のカメラが備えているレンズ鏡胴の、移動筒が繰出状態にあるときの光軸方向の縦断面図である。この第４実施形態のカメラの説明にあたっては、この図１２、図１３とともに、図１を参照しながら説明する。ここでは図１に示すカメラ５０は、図１２、図１３に示す構造を有する第４実施形態のカメラであるものとして説明する。
【００５０】
図１に示すように、この第４実施形態のカメラ５０は、シャッタボタン５３等を有するカメラ本体５１を備えており、そのカメラ本体５１前面にはレンズ鏡胴５２が取り付けられている。このカメラ本体５１には、正転、逆転自在に回転する電動モータ５４が内蔵されている。また、カメラ本体５１には、ＡＦ窓５５が設けられており、そのＡＦ窓５５の内側には、被写体までの距離を出力するＡＦセンサ（図示せず）が配置されている。このカメラ５０は、シャッタボタン５３が半押しされるとＡＦセンサで測距が行なわれ、全押しされると撮影が行なわれる。
【００５１】
レンズ鏡胴５２は主な構成要素として、図１２に示すように、カメラ本体５１に取り付け固定された固定筒１２と、沈胴駆動リング１３と、レンズシャッター組６を内蔵した移動筒１４とを備えている。固定筒１２は、内筒１２ａと、その内筒１２ａを取り巻く外筒１２ｂとを有している。内筒１２ａには、光軸方向に延びる２本の直進ガイド溝１２ｃが形成されている。この固定筒１２の、内筒１２ａと外筒１２ｂとの間には、光軸方向の移動が禁止された状態で沈胴駆動リング１３が入り込んでいる。この沈胴駆動リング１３の外壁後端には、カメラ本体５１内部に配置された電動モータ５４（図１参照）の駆動力が伝達される駆動ギア１３ａが形成されており、その電動モータ５４の駆動力が伝達ギア１５を介して沈胴駆動リング１３の駆動ギア１３ａに伝達されると、その沈胴駆動リング１３は光軸を中心として回転する。また、この沈胴駆動リング１３の外壁後端の、駆動ギア１３ａが形成された部分の後部にはカム面１３ｂが形成されている。このカム面１３ｂは、移動筒１４の、繰出状態と、沈胴状態と、これら繰出状態と沈胴状態との中間的な状態とに応じて異なる高さに形成されている。ここでは、移動筒１４の繰出状態は、後述するように繰出量が異なる２つの繰出位置を有しており、カム面１３ｂの、繰出状態に対応した部分は、この繰出量が異なる２つの繰出位置に応じてさらに異なる高さに形成されている。また、レンズ鏡胴５２の、内側底部には、このカム面１３ｂに接触し、沈胴駆動リング１３の回転位置、すなわち移動筒１４の現在の状態を認識する沈胴スイッチレバー１６が配置されている。また、この沈胴駆動リング１３の前端部にはカム溝１３ｃが形成されている。このカム溝１３ｃの詳しい形状については後述する。
また、移動筒１４の後端外周部には、固定筒１２の内筒１２ａの直進ガイド溝１２ｃを貫通して沈胴駆動リング１３に形成されたカム溝１３ｃに摺動自在に係合する２本のカムピン１４ａが設けられている（図１２、図１３には、２本のカムピン１４ａのうちの１本のカムピン１４ａのみが示されている）。これら２本のカムピン１４ａは、光軸を中心として１８０度間隔で設けられている。移動筒１４のカムピン１４ａ、固定筒１２の内筒１２ａの直進ガイド溝１２ｃ、および沈胴駆動リング１３のカム溝１３ｃは、移動筒１４を光軸方向に直進的に繰出し、沈胴させるカム機構を構成している。尚、本実施形態では、移動筒１４と、その移動筒１４に対し光軸方向の移動が規制されており、その移動筒１４の繰り出し、沈胴に伴ってその移動筒１４と一緒に光軸方向に移動するレンズシャッター組６等の各種部材を含めたものが、本発明にいう移動筒組立体に相当する。また、沈胴駆動リング１３に、固定筒１２を含めたものが、本発明にいう駆動筒組立体に相当する。
以下に、沈胴駆動リング１３が回転することにより、移動筒１４が、光軸方向に繰出し、沈胴するときの様子について、図１４を参照しながら説明する。
【００５２】
図１４は、沈胴駆動リングの内壁面を光軸方向に垂直な方向に展開して示した図である。
【００５３】
沈胴駆動リング１３に形成されたカム溝１３ｃは、撮影光軸を一周し一周の間に光軸方向への前進と後退を二回繰り返す無端状のカム溝であり、このカム溝１３ｃの、光軸方向前方の部分（繰出状態）には２つの段１３ｄが形成されている。
【００５４】
移動筒１４のカムピン１４ａ（例えば図１２参照）が沈胴位置Ａに位置しているとき、その移動筒１４は固定筒１２に沈胴している。ここで、電動モータ５４が正転すると沈胴駆動リング１３が一方向に回転し、沈胴スイッチレバー１６で移動筒１４の現在の状態を認識しながら、移動筒１４のカムピン１４ａが、先ず近距離撮影に対応した第１の繰出位置Ｂに移動し、これに伴って移動筒１４が繰り出される。ＡＦセンサによって遠距離が測距されると、電動モータ５４が再度正転し、移動筒１４のカムピン１４ａが遠距離撮影に応じた第２の繰出位置ｃに移動し、それに伴って移動筒１４が沈胴方向に若干戻される。撮影が終了し電源がオフに操作されると、電源が実際にオフになる前に電動モータ５４がさらに正転し、これにより沈胴駆動リング１３が上記一方向に回転し、移動筒１４のカムピン１４ａが、沈胴位置Ａに移動し、移動筒１４が沈胴する。
【００５５】
このように、一段沈胴式のカメラであっても、沈胴駆動リング１３に移動筒１４のカムピン１４ａが貫通するカム溝１３ｃを形成することにより、電動モータ５４を一方向に回転させるだけで、移動筒１４の繰出し、沈胴が行われるとともに、焦点調節も行なわれる。従って、カメラの小型化、低コスト化が図られる。尚、上述した各種実施形態はカム溝の工夫によりピント位置を複数段に切り替えているが、本発明では、カム溝の工夫によりピント位置を切り替える構成は必ずしも必要ではなく、本発明を固定焦点式のカメラに適用してもよく、あるいはカム溝の工夫とは別の構成によりピント調整を行なってもよい。
【００５６】
【発明の効果】
以上説明したように、本発明のカメラによれば、小型化、低コスト化が図られる。
【図面の簡単な説明】
【図１】本発明の第１実施形態のカメラを示す正面図である。
【図２】本発明の第１実施形態のカメラのレンズ鏡胴を構成する後部筒および前部筒が沈胴状態にあるときの、そのレンズ鏡胴の光軸方向の縦断面図である。
【図３】本発明の第１実施形態のカメラのレンズ鏡胴を構成する後部筒および前部筒が繰出状態にあるときの、そのレンズ鏡胴の光軸方向の縦断面図である。
【図４】固定カム筒および後部筒それぞれの内壁面を光軸方向に垂直な方向に展開して示した図である。
【図５】沈胴駆動リングおよび沈胴スイッチレバーの正面図である。
【図６】図５に示す沈胴駆動リングとは別の構造の沈胴駆動リングを示す正面図である。
【図７】沈胴駆動リング２の外壁前側面の領域Ａ１に印刷されたの光反射防止マークを示す図である。
【図８】沈胴駆動リング２の外壁前側面の領域Ａ２に印刷されたの光反射防止マークを示す図である。
【図９】沈胴駆動リング２の外壁前側面の領域Ｃに印刷されたの光反射防止マークを示す図である。
【図１０】第２実施形態のカメラが備えている固定カム筒および後部筒を円周方向に展開したときの一部分を示す図である。
【図１１】第３実施形態のカメラが備えている固定カム筒および後部筒を円周方向に展開したときの一部分を示す図である。
【図１２】第４実施形態のカメラが備えているレンズ鏡胴の、移動筒が沈胴状態にあるときの光軸方向の縦断面図である。
【図１３】第４実施形態のカメラが備えているレンズ鏡胴の、移動筒が繰出状態にあるときの光軸方向の縦断面図である。
【図１４】沈胴駆動リングの内壁面を光軸方向に垂直な方向に展開して示した図である。
【符号の説明】
１  固定カム筒
１ａ，３ｃ，１３ｃ  カム溝
１ｂ  キー溝
１ｃ，３ｅ  平坦部
２，１３  沈胴駆動リング
２ａ  駆動ギア
２ｂ  駆動溝
２ｃ，１３ｂ  カム面
２ｄ  外壁前側面
３  後部筒
３ａ  連結ピン
３ｂ，５ａ，１４ａ  カムピン
１ｄ，３ｄ，１３ｄ  ２つの段
４  直進キーリング
４ａ  キーピン
４ｂ，１２ｃ  直進ガイド溝
５  前部筒
６  レンズシャッター組
７  レンズカバー組
８  レンズカバー開閉部材
８ａ  ガイドピン
９  飾銘板
９ａ  開口部
１０  鏡胴カバー
１１，１６  沈胴スイッチレバー\  １２  固定筒
１２ａ  内筒
１２ｂ  外筒
１３ａ  駆動ギア
１４  移動筒
１５  伝達ギア
２０，２１  投受光素子
５０  カメラ
５１  カメラ本体
５２  レンズ鏡胴
５３  シャッタボタン
５４  電動モータ
５５  ＡＦ窓
【図１】
0003779072.tif 000002
【図２】
0003779072.tif 000003
【図３】
0003779072.tif 000004
【図４】
0003779072.tif 000005
【図５】
0003779072.tif 000006
【図６】
0003779072.tif 000007
【図７】
0003779072.tif 000008
【図８】
0003779072.tif 000009
【図９】
0003779072.tif 000010
【図１０】
0003779072.tif 000011
【図１１】
0003779072.tif 000012
【図１２】
0003779072.tif 000013
【図１３】
0003779072.tif 000014
【図１４】
0003779072.tif 000015